(57)【特許請求の範囲】
【請求項１】
紙葉類が積載された積載部と、
この積載部から前記紙葉類を取込む取込ローラと、
前記取込ローラと対向して配置され、該取込ローラによって取込まれる前記紙葉類を１枚ずつ分離する一方向に回転可能な分離ローラと、
前記分離ローラを、前記取込ローラと接触する接触位置と該取込ローラから離間した非接触位置との間で移動させる分離ローラ移動手段とを具備し、
前記分離ローラの移動方向に対して直交する前記紙葉類の取込方向において、前記取込ローラと前記分離ローラとは、互いにシフトして配置され、
さらに、前記分離ローラは、前記分離ローラ移動手段による前記接触位置への移動の際に、シフトして配置された前記取込ローラとの接触により生じるモーメントの作用する方向に回転可能に構成されていることを特徴とする紙葉類処理装置。
【請求項２】
前記分離ローラは、前記取込ローラに対し前記紙葉類の取込方向の下流側にシフトして配置されていることを特徴とする請求項１記載の紙葉類処理装置。
【請求項３】
紙葉類が積載された積載部と、
この積載部から前記紙葉類を取込む取込ローラと、
前記取込ローラと対向して配置された第１の支持ローラと、
前記第１の支持ローラを、前記取込ローラに対し進退自在にする支持手段と、
前記第１の支持ローラから離間して設けられた第２の支持ローラと、
前記第１及び第２の支持ローラ間に巻架され、前記取込ローラによって取込まれる前記紙葉類を該取込ローラと協働しつつ１枚ずつ分離する分離ベルトと、
前記第１の支持ローラが進退移動するとともに前記分離ベルトが一方向へ回転するように前記第２の支持ローラを偏心駆動する駆動手段とを備え、
前記第１の支持ローラは、前記駆動手段が前記第２の支持ローラを偏心駆動させる方向と同一の一方向にのみ回転可能に構成されていることを特徴とする紙葉類処理装置。
【請求項４】
前記分離ローラ又は前記分離ベルトは、前記取込ローラと同一方向に回転することを特徴とする請求項１乃至３のいずれか１項に記載の紙葉類処理装置。
【請求項５】
前記分離ローラ又は前記分離ベルトに摺接して、これらの表面を清浄する清浄部材をさらに具備することを特徴とする請求項１乃至４のいずれか１項に記載の紙葉類処理装置。
【発明の詳細な説明】
【０００１】
【発明の属する技術分野】
本発明は、例えば帳票等の紙葉類を処理するための紙葉類処理装置に関する。
【０００２】
【従来の技術】
従来、紙葉類処理装置、例えば帳票に記された文字を光学的に読み取る光学的文字読取装置等は、帳票を１枚ずつ装置内部に取込んで搬送し、搬送経路上に設けられたＣＣＤイメージセンサ等により帳票に記された文字をイメージとして読取るとともに、読み取った文字のイメージを１文字毎に検出して切出し文字認識を行うものである。
【０００３】
ところで、このような光学的文字読取装置には、一般に、イメージセンサ等が配設された装置内部へ、積載された帳票を１枚ずつ分離して取り込むために帳票取込機構が設けられている。つまり、図１３に正面図又は図１４に側面図としてそれぞれ示すように、この帳票取込機構８１は、様々なサイズの帳票８２を安定して取り込めるようにそれぞれ並設され、ホッパテーブル８３に積載された最上位の帳票８２の上面と摺接するピックローラ８４並びにフィードローラ８５と、帳票８２の下面と接触するとともに一方向クラッチ（one way clutch）８６を備えていることで帳票８２を取込む方向（回転方向Ｃの逆方向）に回転しないように構成された分離ローラ８７とが協働しつつ、複数枚の帳票８２を１枚ずつ分離して装置内部へ取込むといったものである。
【０００４】
また、このような帳票取込機構８１には、帳票８２等との摺動によって生じる分離ローラ８７表面の摩耗の均一化を図ることで、分離ローラ８７から常に最良の帳票分離能力を引き出すための分離ローラ駆動機構８８が付与されている。
【０００５】
すなわち、この分離ローラ駆動機構８８には、分離ローラ８７を帳票８２の取込方向の逆方向Ｃへ回転させる回転機構と、分離ローラ８７を、対向するフィードローラ８５と接触可能な接触位置とフィードローラ８５から離間した非接触位置との間で昇降移動させる昇降機構とがそれぞれ設けられている。
【０００６】
詳述すると、この分離ローラ駆動機構８８は、読取装置本体のフレームに固定され分離ローラ８７を矢印Ｙ１、Ｙ２方向へ昇降自在に支持するプレート８９と、分離ローラ８７に設けられたギア部８７ａに歯合する遊星ギア９０と、遊星ギア９０を回転可能に支持する可動板９１と、可動板９１を通じて遊星ギア９０を（図１３中の反時計方向に）付勢するスプリング９２と、通電時に鉄心９３ａを吸着し可動板９０を回動する自己吸着型のソレノイド９３と、遊星ギア９０と歯合する中継ギア部９４を有し遊星ギア９０を自転且つ（矢印Ｕ１、Ｕ２方向に）揺動するための中継プーリ９５と、ベルト９６、中継プーリ９５、及び遊星ギア９０を通じて分離ローラ８７を回転させるためのモータ９７とから構成されている。
【０００７】
したがって、このように構成された分離ローラ駆動機構８８では、装置内部への帳票８２の非取込時に、ソレノイド９３を制御して、スプリング９２の付勢力に抗しつつ可動板８９を（図１３中の時計方向に）回動させ、遊星ギア９０を矢印Ｕ２方向に揺動させる。これにより、分離ローラ８７が自重で矢印Ｙ２方向に落下しフィードローラ８５からリリースされた状態となる。この際同時に、モータ９７を僅かに回転させ、ベルト９６、中継プーリ９５、及び遊星ギア９０を介して分離ローラ８７を微少量だけ回転させる。このような動作制御により分離ローラ８７の局所的な摩耗が抑制され分離ローラ８７の高寿命化が図られている。
【０００８】
一方、装置内部への帳票８２の取込時に、ソレノイド９３への通電を停止し、スプリング９２の付勢力により、可動板８９を（図１３中の反時計方向に）回動させ、遊星ギア９０を通じて分離ローラ８７を矢印Ｙ１方向に上昇させる。これにより、スプリング９２の付勢力で分離ローラ８７がフィードローラ８５を押圧することになり、フィードローラ８５と分離ローラ８７とが協働しつつ、複数枚の帳票８２を１枚ずつ分離して装置内部へ取込むことが可能となる。
【０００９】
【発明が解決しようとする課題】
しかしながら、このような分離ローラ駆動機構８８を備えた従来の光学的文字読取装置は、分離ローラ８７の回転機構と昇降機構とが、それぞれモータ９７又はソレノイド９３を駆動源とした各々ほぼ独立した２つの機構で構成されているので、分離ローラの駆動機構部分の構造が複雑となり装置の小型化が困難であるとともに多数の部品を要することからコスト面等で問題があった。
【００１０】
また、従来の分離ローラ駆動機構８８は、分離ローラ８７を定期的に少しずつ回転させローラ表面の局所的な摩耗を避けることで、分離ローラ８７の高寿命化を図っている。しかしながら、分離ローラ８７の表面の汚れを除去し分離ローラ８７に一定の分離能力を維持させること等は何ら考慮されておらず、分離ローラ８７の高寿命化を図かる上で、このような点においても改善が望まれていた。
【００１１】
そこで、本発明は、上記課題を解決するためになされたもので、複数枚の紙葉類を分離しつつ装置内部へ取り込むための紙葉類の分離機構が、常に優れた分離能力を発揮できるとともに、この分離機構部分を簡易的に構成することで、小型化の実現が可能で、しかも安価な紙葉類処理装置を提供するものである。
【００１４】
【課題を解決するための手段】
上記目的を達成するために、本発明の請求項１に係る紙葉類処理装置は、紙葉類が積載された積載部と、この積載部から前記紙葉類を取込む取込ローラと、前記取込ローラと対向して配置され、該取込ローラによって取込まれる前記紙葉類を１枚ずつ分離する一方向に回転可能な分離ローラと、前記分離ローラを、前記取込ローラと接触する接触位置と該取込ローラから離間した非接触位置との間で移動させる分離ローラ移動手段とを具備し、前記分離ローラの移動方向に対して直交する前記紙葉類の取込方向において、前記取込ローラと前記分離ローラとは、互いにシフトして配置され、さらに、前記分離ローラは、前記分離ローラ移動手段による前記接触位置への移動の際に、シフトして配置された前記取込ローラとの接触により生じるモーメントの作用する方向に回転可能に構成されていることを特徴とする。
【００１５】
また、本発明の請求項２に係る紙葉類処理装置は、請求項１記載の紙葉類処理装置において、前記分離ローラが、前記取込ローラに対し前記紙葉類の取込方向の下流側にシフトして配置されていることを特徴とする。
【００１６】
これらの発明によれば、取込ローラによって取込まれる紙葉類を１枚ずつ分離するための分離ローラが、この取込ローラに対し例えば紙葉類の取込方向の下流側にシフトして配置されているので、分離ローラと取込ローラとが接触する際に分離ローラを回転させるモーメントが働くことになる。したがって、この発明によれば、分離ローラを回転させることでローラ表面の局所的な摩耗を抑制し分離ローラの高寿命化を図るための分離機構部分が、簡易的な機構により構成されるので、小型化の実現が可能でしかも部品点数を抑えた安価な紙葉類処理装置を提供することができる。
【００１７】
また、本発明の請求項３に係る紙葉類処理装置は、紙葉類が積載された積載部と、この積載部から前記紙葉類を取込む取込ローラと、前記取込ローラと対向して配置された第１の支持ローラと、前記第１の支持ローラを、前記取込ローラに対し進退自在にする支持手段と、前記第１の支持ローラから離間して設けられた第２の支持ローラと、前記第１及び第２の支持ローラ間に巻架され、前記取込ローラによって取込まれる前記紙葉類を該取込ローラと協働しつつ１枚ずつ分離する分離ベルトと、前記第１の支持ローラが進退移動するとともに前記分離ベルトが一方向へ回転するように前記第２の支持ローラを偏心駆動する駆動手段とを備え、前記第１の支持ローラは、前記駆動手段が前記第２の支持ローラを偏心駆動させる方向と同一の一方向にのみ回転可能に構成されていることを特徴とする。
【００１８】
この発明に係る紙葉類処理装置は、取込ローラによって取込まれる紙葉類を１枚ずつ分離するための分離ベルトを、このベルトが巻架された２つのローラのうちの第２の支持ローラを偏心駆動することにより、取込ローラと対向する第２の支持ローラを例えば取込ローラより離間させつつ分離ベルトを一方向へ回転させることが可能なものである。したがって、この発明によれば、分離ベルトを回転させることでベルト表面の局所的な摩耗を抑制し分離ベルトの高寿命化を図るための分離機構部分が、簡易的な機構により構成されるので、小型化の実現が可能で、しかも部品点数を抑えた安価な紙葉類処理装置を提供することができる。
【００１９】
さらに、本発明の請求項４に係る紙葉類処理装置は、請求項１乃至３のいずれかに１項に記載の紙葉類処理装置において、前記分離ローラ又は前記分離ベルトが、前記取込ローラと同一方向に回転することを特徴とする。
【００２０】
この発明の紙葉類処理装置は、分離ローラや、分離ベルトが巻架された第１又は第２の支持ローラに、一方向クラッチ等を組み込むことにより実現されるものであって、複数枚の紙葉類を１枚ずつ確実に分離して装置内部へ取込むために、分離ローラ又は分離ベルトを紙葉類の取込方向（取込ローラの回転方向の逆方向）に回転させないように構成したものである。
【００２１】
また、本発明の請求項５に係る紙葉類処理装置は、請求項１乃至４のいずれかに１項に記載の紙葉類処理装置において、前記分離ローラ又は前記分離ベルトに摺接して、これらの表面を清浄する清浄部材をさらに具備することを特徴とする。
【００２２】
この発明に係る紙葉類処理装置は、例えば分離ローラ又は分離ベルトの表面に付着した紙葉類の繊維等による汚れを除去することが可能なので、分離ローラ又は分離ベルトに一定の分離能力を維持させることができ、これにより分離ローラ又は分離ベルトの高寿命化を図かることができる。
【００２３】
【発明の実施の形態】
以下、本発明の実施の形態を図面に基づき説明する。
【００２４】
図１は、本発明の第１の実施形態に係る紙葉類処理装置としての例えば光学的文字読取装置を概略的に示す図である。
【００２５】
同図に示すように、この光学的文字読取装置１は、装置内部に搬入される複数枚の帳票が積載されるホッパテーブル２と、ホッパテーブル２に積載された帳票の上面に摺接して帳票を装置内部に取込むピックローラ３及びフィードローラ４と、フィードローラ４によって装置内部に取込まれる帳票の下面に接触し、フィードローラ４と協働して帳票を一枚ずつ分離する分離ローラ６と、搬送路５の上下に対向して配置され、帳票を両面から挟持しつつ下流側へと搬送する複数の上部搬送ローラ７及び下部搬送ローラ８と、搬送されてきた帳票の表面に光を照射する光源１４と、帳票の表面から反射光をＣＣＤ１３へ導くミラー１０、１１及びレンズ１２と、一方、搬送されてきた帳票の裏面のイメージを読取るための裏面密着センサ１５と、プラテンローラ１６に対向して設けられ、処理した帳票に対し連番等を印字する印字ヘッド１７と、印字ヘッド１７によって所定の印字処理を終え、フラッパ１８に仕分けられつつ装置外部に搬出された帳票を収容するスタッカ１９、２０とから主に構成されている。
【００２６】
ところで、本実施形態の光学的文字読取装置１には、ＣＣＤ１３や裏面密着センサ１５等が配設された装置内部へ、積載された帳票を１枚ずつ分離して取り込む（給紙を行う）ために帳票取込機構２１が設けられている。
【００２７】
図２に正面図又は図３に側面図としてそれぞれ示すように、この帳票取込機構２１は、複数枚の帳票２２を１枚ずつ分離して装置内部へ取込むために、ベルト２３を通じてそれぞれ同期して回転するとももに、前述したようにホッパテーブル２に積載された最上位の帳票２２の上面と摺接するピックローラ３並びにフィードローラ４と、帳票２２の下面と接触するとともに一方向クラッチ（one way clutch）６ａを備えていることで帳票２２を取込む方向（回転方向Ｃの逆方向）に回転しないように構成された分離ローラ６とが協働することで実現されている。
【００２８】
また、このような帳票取込機構２１には、帳票２２等との摺動によって生じる分離ローラ６表面の摩耗の均一化を図ることで、分離ローラ６から常に最良の帳票分離能力を引き出すための分離ローラ駆動機構２４が付与されている。
【００２９】
すなわち、この分離ローラ駆動機構２４は、分離ローラ６を自転可能に保持する可動プレート２５と、読取装置本体のフレームに固定され分離ローラ６が保持された可動プレート２５を矢印Ｙ１、Ｙ２方向へ昇降自在に支持する固定プレート２６と、可動プレート２５を分離ローラ６が上昇する方向、つまり矢印Ｙ１方向に付勢するスプリング２７と、非通電時にスプリング２７により矢印Ｘ２方向に付勢されている鉄心２８を通電時に矢印Ｘ１方向に吸着することで、可動プレート２５等を通じて分離ローラ６を、フィードローラ４と接触する接触位置とフィードローラ４から離間した非接触位置との間で（矢印Ｙ１、Ｙ２方向へ）昇降移動させるための自己吸着型のソレノイド２９と、可動プレート２５及び鉄心２８に回動可能に固定され、鉄心２８の動力を可動プレート２５に伝達するリンクレバー３０と、ソレノイド２９による可動プレート２５を介した分離ローラ６の矢印Ｙ２方向への下降動作に伴って、互いの摩擦力により分離ローラ６がフィードローラ４並びにピックローラ３と同一の回転方向、すなわち矢印Ｃ方向に回転するように分離ローラ６の周面を矢印Ｆ方向に押圧しつつ接触する例えば板バネ等で成形された接触部材３１とから構成されている。
【００３０】
次に、このように構成された分離ローラ駆動機構２４による分離ローラ６の動作について説明する。なお、本実施形態の光学的文字読取装置１では、例えば装置１の電源がｏｎにされ、装置の稼動が開始される度に分離ローラ６の駆動が行われるものとする。
【００３１】
装置内部への帳票２２の非取込時（非給紙時）に、ソレノイド２９を通電し、鉄心２７を矢印Ｘ１方向に吸着すると、リンクレバー３０が（図３中の反時計方向に）回動する。これにより、図４又は図５に示すように、スプリング２７の付勢力に抗しつつ可動プレート２５が、可動プレート２５に保持された分離ローラ６とともに矢印Ｙ２方向に下降し、分離ローラ６がフィードローラ４からリリースされた状態となる。この際、分離ローラ６の周面が接触部材３１により押圧されていることから、分離ローラ６の下降に伴って生じる摩擦力により、分離ローラ６が矢印Ｃ方向に回転する。本実施形態の光学的文字読取装置１では、このような動作制御により分離ローラ６の局所的な摩耗が抑制され分離ローラ６の高寿命化が図られている。
【００３２】
一方、装置内部への帳票２２の取込時（給紙時）に、ソレノイド２９への通電を停止すると、スプリング２７の付勢力により、鉄心２７が矢印Ｘ１方向に移動し、リンクレバー３０が（図３中の時計方向に）回動する。さらに、図２又は図３に示すように、スプリング２７の付勢力により可動プレート２５が、可動プレート２５に保持された分離ローラ６とともに矢印Ｙ１方向に上昇し、分離ローラ６がフィードローラ４と接触する給紙可能な状態となる。この際、分離ローラ６は、接触部材３１と接触しているものの、一方向クラッチ６ａの作用により、矢印Ｃ方向と逆方向には回転せずに接触部材３１表面と単に摺動しつつ上昇することになる。このようにして上昇した分離ローラ６は、スプリング２７の付勢力により、フィードローラ４を押圧することになり、フィードローラ４と分離ローラ６とが協働しつつ、複数枚の帳票２２を１枚ずつ分離して装置内部へ取込むことが可能となる。
【００３３】
このように、本実施形態の光学的文字読取装置１は、ピックローラ３及びフィードローラ４によって取込まれる帳票２２を１枚ずつ分離するための分離ローラ６の周面に接触する接触部材３１が、駆動源であるソレノイド２９による分離ローラ６の移動に伴い、この分離ローラ６を一方向に回転させるものである。したがって、本実施形態の光学的文字読取装置１は、ローラ表面の局所的な摩耗を抑制し分離ローラ６の高寿命化を図るための分離ローラ駆動機構２４が、駆動源が単一の簡易的な機構となるので、小型化の実現が可能でしかも部品点数を抑えた安価な装置として構成される。
【００３４】
なお、本実施形態の光学的文字読取装置１では、分離ローラ６の表面の汚れを除去し分離ローラ６に一定の分離能力を維持させること等は何ら考慮されていなかったが、図６に示すように、接触部材３１と分離ローラ６との間に、分離ローラ６の周面を清浄するための布繊部材３２を介在させてもよい。これにより、例えば分離ローラ６の表面に付着した帳票２２の繊維等による汚れを除去することができるので、分離ローラ６に一定の分離能力を維持させることが可能となり、分離ローラ６の高寿命化を図かることができる。
【００３５】
また、図７に示すように、様々なサイズの帳票２２を安定して装置内部に取り込めるように、それぞれ２組のピックローラ３、フィードローラ４及び分離ローラ駆動機構２４を並設してもよい。これにより、例えば一方の分離ローラ６に達しない小さいサイズの帳票２２を給紙する場合、一方の分離ローラ６とフィードローラ４とで給紙を行いながら、他方の分離ローラ６をフィードローラ４から離間させ高寿命化を図かるための分離ローラ６の回転動作を実施することが可能となり帳票２２の給紙処理を迅速に行うことができる。
【００３６】
次に、本発明の第２の実施形態について説明する。この実施形態の光学的文字読取装置は、第１の実施形態の光学的文字読取装置１が備えていた帳票取込機構２１に代えて、帳票取込機構４１が設けられている。
【００３７】
すなわち、この帳票取込機構４１に付与される分離ローラ駆動機構４２は、図８に示すように、接触部材３１を設ける代わりに、フィードローラ４によって取込まれる帳票２２を１枚ずつ分離するための分離ローラ６が、フィードローラ４に対し帳票２２の搬送方向Ｈ１（帳票２２の取込方向）の下流側にシフトして配置されている。これにより、図９に示すように、分離ローラ６が矢印Ｙ１方向に上昇しフィードローラ４と接触する際に分離ローラ６を矢印Ｃ方向に回転させるモーメントが働くことになる。
【００３８】
したがって、本実施形態の光学的文字読取装置は、ローラ表面の局所的な摩耗を抑制し分離ローラ６の高寿命化を図るための分離ローラ駆動機構４２が、第１の実施形態の分離ローラ駆動機構２４よりも、より簡易的な機構となるので、小型化の実現が可能でしかも部品点数を抑えた安価な装置として構成される。
【００３９】
次に、本発明の第３の実施形態について説明する。この実施形態の光学的文字読取装置は、第１の実施形態の光学的文字読取装置１が備えていた帳票取込機構２１に代えて、帳票取込機構５１が設けられている。
【００４０】
すなわち、図１０に示すように、新たな分離ローラ駆動機構５２が付与されるこの帳票取込機構５１は、第１の実施形態の帳票取込機構２１に設けられていた分離ローラ６、ソレノイド２７及び接触部材３１等に代えて、フィードローラ４と対向して配置され、一方向クラッチが組み込まれていることで、矢印Ｃ方向にのみ回転可能な第１の支持ローラ５３と、固定プレート２６に対し第１の支持ローラ５３を矢印Ｙ、１Ｙ２方向に昇降自在に支持する可動プレート５７と、第１の支持ローラ５３から離間して設けられ、回転中心を偏心させて形成されている第２の支持ローラ５４と、第１及び第２の支持ローラ５３、５４間に巻架され、フィードローラ４によって取込まれる帳票２２を当該フィードローラ４と協働しつつ１枚ずつ分離する分離ベルト５５と、第１の支持ローラ５３を矢印Ｙ、１Ｙ２方向に昇降移動させるとともに分離ベルト５５を矢印Ｃ方向へ回転させるように、第２の支持ローラ５４を偏心駆動するモータ５６とを備えて構成されている。
【００４１】
第２の支持ローラ５４の偏心量は、図１１に示すように、第１及び第２の支持ローラ５３、５４間の離間距離がほぼ最大となったときに、分離ベルト５５の張力Ｔ２により、スプリング２７の付勢力に抗しつつ、第１の支持ローラ５３を保持する可動プレート５７を、矢印Ｙ２方向に下降させることができるように調整されている。
【００４２】
また、第２の支持ローラ５４の偏心量は、図１０に示すように、第１及び第２の支持ローラ５３、５４間の離間距離がほぼ最少となったときに、分離ベルト５５の張力Ｔ１を極めて小さくして、スプリング２７の付勢力により、第１の支持ローラ５３を保持する可動プレート５７を、矢印Ｙ１方向に上昇させることができるように調整されている。
【００４３】
したがって、このように構成された帳票取込機構５１では、装置内部への帳票８２の非取込時（非給紙時）に、図１１に示すように、第１及び第２の支持ローラ５３、５４間の離間距離がほぼ最大となるように、モータ５６によって第２の支持ローラ５４を矢印Ｃ方向に偏心駆動する。これにより、第１の支持ローラ５３を矢印Ｙ２方向に下降させ、分離ベルト５５をフィードローラ４から離間させることができるとともに、分離ベルト５５を僅かに矢印Ｃ方向に回転させることができる。本実施形態の光学的文字読取装置では、このような動作制御により分離ベルト５５の局所的な摩耗が抑制され分離ベルト５５の高寿命化が図られている。
【００４４】
一方、装置内部への帳票８２の取込時（給紙時）に、図１０に示すように、第１及び第２の支持ローラ５３、５４間の離間距離がほぼ最少となるように、モータ５６によって第２の支持ローラ５４を矢印Ｃ方向に偏心駆動する。これにより、第１の支持ローラ５３を矢印Ｙ１方向に上昇させ、分離ベルト５５をフィードローラ４に接触させることができるとももに、分離ベルト５５を僅かに矢印Ｃ方向に回転させることができる。このようにしてフィードローラ４に接触した分離ベルト５５は、スプリング２７の付勢力により、フィードローラ４を押圧することになり、フィードローラ４と分離ローラ６とが協働しつつ、複数枚の帳票２２を１枚ずつ分離して装置内部へ取込むことが可能となる。
【００４５】
このように、本実施形態の光学的文字読取装置は、ピックローラ３及びフィードローラ４によって取込まれる帳票２２を１枚ずつ分離するための分離ベルト５５を、このベルト５５が巻架された２つのローラのうちの第２の支持ローラ５４を偏心駆動することにより、フィードローラ４と対向する第２の支持ローラ５４をフィードローラ４より離間させつつ分離ベルト５５を一方向へ回転させることが可能なものである。したがって、本実施形態の光学的文字読取装置は、ベルト表面の局所的な摩耗を避け分離ベルト５５の高寿命化を図るための分離ローラ駆動機構５２が、駆動源が単一の簡易的な機構となるので、小型化の実現が可能でしかも部品点数を抑えた安価な装置として構成される。
【００４６】
なお、図１２に示すように、第１の実施形態の変形例と同様、分離ベルト５５の外周面を清浄するための布繊部材５８を、この分離ベルト５５の外周面と摺動する位置に設け、分離ベルト５５の高寿命化を図かることができるように分離ローラ駆動機構を構成してもよい。
【００４７】
また、上述した各実施形態は光学的文字読取装置を本発明に適用したものであったが、装置内部に紙葉類を取込み搬送する例えばファクシミリ、プリンタ、又は複写機等にも、無論本発明を適用することができる。
【００４８】
【発明の効果】
以上説明したように、本発明によれば、分離ローラ（又は分離ベルト）等を回転させローラ表面の局所的な摩耗を避けることで分離ベルトの高寿命化を図るための分離機構部分が、簡易的な機構により構成されるので、小型化の実現が可能で、しかも部品点数を抑えた安価な紙葉類処理装置を提供することができる。
【００４９】
また、本発明によれば、分離ローラ（又は分離ベルト）の表面の汚れを除去することが可能なので、分離ローラに一定の分離能力を維持させることができ、これにより分離ローラの高寿命化を図かることができる。
【図面の簡単な説明】
【図１】本発明の第１の実施形態に係る光学的文字読取装置を概略的に示す図。
【図２】図１の光学的文字読取装置に設けられた帳票取込機構を正面からみた断面図。
【図３】図２の帳票取込機構の側面を示す断面図。
【図４】非給紙状態である図２の帳票取込機構を正面からみた断面図。
【図５】非給紙状態である図２の帳票取込機構の側面を示す断面図。
【図６】接触部材が組み込まれた図２の帳票取込機構を正面からみた断面図。
【図７】２つの分離ローラ駆動機構が並設された帳票取込機構の側面を示す断面図。
【図８】本発明の第２の実施形態に係る光学的文字読取装置に設けられた帳票取込機構を正面からみた断面図。
【図９】給紙状態である図８の帳票取込機構を正面からみた断面図。
【図１０】本発明の第３の実施形態に係る光学的文字読取装置に設けられた帳票取込機構を正面からみた断面図。
【図１１】非給紙状態である図１０の帳票取込機構を正面からみた断面図。
【図１２】接触部材が組み込まれた図１０の帳票取込機構を正面からみた断面図。
【図１３】従来の光学的文字読取装置に設けられた帳票取込機構を正面からみた断面図。
【図１４】図１３の帳票取込機構の側面を示す断面図。
【符号の説明】
１…光学的文字読取装置
２…ホッパテーブル
３…ピックローラ
４…フィードローラ
６…分離ローラ
６ａ…一方向クラッチ（one way clutch）
２１、４１、５１…帳票取込機構
２２…帳票
２４、４２、５２…分離ローラ駆動機構
２５、５７…可動プレート
２６…固定プレート
２７…スプリング
２８…鉄心
２９…ソレノイド
３０…リンクレバー
３１…接触部材
５３…第１の支持ローラ
５４…第２の支持ローラ
５５…分離ベルト
５６…モータ
３２、５８…布繊部材
【図１】
0003825607.tif 000002
【図２】
0003825607.tif 000003
【図３】
0003825607.tif 000004
【図４】
0003825607.tif 000005
【図５】
0003825607.tif 000006
【図６】
0003825607.tif 000007
【図７】
0003825607.tif 000008
【図８】
0003825607.tif 000009
【図９】
0003825607.tif 000010
【図１０】
0003825607.tif 000011
【図１１】
0003825607.tif 000012
【図１２】
0003825607.tif 000013
【図１３】
0003825607.tif 000014
【図１４】
0003825607.tif 000015